【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
複数のセンサが複数のセンサ測定値を発生して、投影データの１つ以上のセットを形成し、各セットは、投影ドメインの一部分を表し、且つ投影データのサンプルのアレイを含み、そのアレイは、少なくとも一線のサンプルを有し、更に、各サンプルは、サンプル座標で指示されたアレイ内の位置を有しているコンピュータ断層撮影システム内で投影データを圧縮する方法において、
減衰プロフィールの１つ以上のパラメータをメモリにセットする段階であって、その減衰プロフィールは、サンプル座標の関数であり且つ複数の減衰値を特定し、その減衰値は１以下であるような段階と、
前記減衰プロフィールに基づきアレイのサンプルを減衰して、サンプルのオリジナルの大きさ以下の大きさを有する減衰サンプルを形成する段階と、
前記減衰サンプルをエンコードして圧縮サンプルを形成する段階と、
を備えた方法。
【請求項２】
前記エンコードする段階は、更に、前記減衰サンプルをブロックフローティングポイントエンコーディングして、圧縮サンプルを形成することを含む、請求項１に記載の方法。
【請求項３】
前記エンコードする段階は、更に、差動的エンコーディングを含み、これは、
対応する減衰サンプル間の複数の差を計算して、複数の差のサンプルを形成すること、  前記差のサンプルをブロックフローティングポイントエンコーディングして、前記圧縮サンプルを形成すること、
を含む請求項１に記載の方法。
【請求項４】
前記減衰プロフィールのパラメータは、更に、
サンプルの線における第１縁サンプルに対応する減衰プロフィールの第１境界と、
サンプルの線における第２縁サンプルに対応する減衰プロフィールの第２境界と、
を含み、前記減衰する段階は、前記第１境界と第２境界との間のサンプル座標を有するサンプルに前記減衰プロフィールを適用する、請求項１に記載の方法。
【請求項５】
前記減衰プロフィールの少なくとも１つのパラメータを調整することによりターゲットビットレート以下の圧縮サンプルの出力ビットレートを与える段階を更に備えた、請求項１に記載の方法。
【請求項６】
コンピュータ断層撮影システムのスリップリングインターフェイスの通信チャンネルを経て前記圧縮サンプルを送信する段階を更に備えた、請求項１に記載の方法。
【請求項７】
前記圧縮サンプルを解凍する段階を更に備え、この解凍する段階は、
利得プロフィールの１つ以上のパラメータをメモリにセットすることを含み、その利得プロフィールは、前記減衰プロフィールに対応し、且つ複数の利得値をサンプル座標の関数として特定し、その利得値は１以上であり、更に、
前記圧縮サンプルをデコードして、対応サンプル座標を有する再構成された減衰サンプルを形成することと、
その再構成された減衰サンプルを前記利得プロフィールに基づいて増幅して、解凍サンプルを形成することと、
を含む請求項１に記載の方法。
【請求項８】
前記エンコードする段階は、更に、前記減衰プロフィールに対応する少なくとも１つのパラメータをエンコードして、前記圧縮サンプルと共に含まれるエンコードされたパラメータを形成することを含み、前記解凍する段階は、更に、
前記エンコードされたパラメータをデコードして、デコードされたパラメータを形成すること、及び
前記デコードされたパラメータに基づいて前記利得プロフィールのパラメータの少なくとも１つを決定すること、
を含む請求項７に記載の方法。
【請求項９】
複数のセンサが複数のセンサ測定値を発生して、投影データの１つ以上のセットを形成し、その各セットは、投影ドメインの一部分を表し、且つ投影データのサンプルのアレイを含み、そのアレイは、少なくとも一線のサンプルを有し、各サンプルは、サンプル座標で指示されたアレイ内の位置を有するコンピュータ断層撮影システム内で投影データを圧縮する装置において、
投影データのサンプルを受け取るように結合され、且つ圧縮サンプルをデータ転送インターフェイスに与える圧縮サブシステム、
を備え、この圧縮サブシステムは、更に、
その圧縮サブシステムのメモリに記憶された１つ以上のパラメータで表された減衰プロフィールを含み、この減衰プロフィールは、サンプル座標の関数であって、複数の減衰値を特定し、その減衰値は、１以下であり、更に、
メモリに結合され、前記減衰プロフィールに基づきサンプルを減衰して、サンプルのオリジナル大きさ以下の大きさを有する減衰サンプルを形成する減衰器、及び
前記減衰サンプルをエンコードして圧縮サンプルを形成するエンコーダ、
を含むものである、装置。
【請求項１０】
前記エンコーダは、更に、前記圧縮サンプルを形成するために前記減衰サンプルに適用されるブロックフローティングポイントエンコーダを含む、請求項９に記載の装置。
【請求項１１】
前記エンコーダは、更に、
対応する減衰サンプル間の複数の差を計算して複数の差のサンプルを形成する差の演算器と、
差のサンプルに適用されて圧縮サンプルを形成するブロックフローティングポイントエンコーダと、
を備えた請求項９に記載の装置。
【請求項１２】
前記エンコーダ及びメモリに結合されたフィードバックコントローラを更に備え、このフィードバックコントローラは、ターゲットビットレート以下の圧縮サンプルの出力ビットレートを与えるように前記減衰プロフィールの少なくとも１つのパラメータを調整する、請求項９に記載の装置。
【請求項１３】
前記データ転送インターフェイスは、スリップリングインターフェイスを備え、前記装置は、更に、
前記エンコーダから圧縮サンプルを受け取り、そしてその圧縮サンプルを前記スリップリングインターフェイスの通信チャンネルに与えるように結合されたバッファ、
を備えた請求項９に記載の装置。
【請求項１４】
前記コンピュータ断層撮影システムは、更に、前記データ転送インターフェイスから圧縮サンプルを受け取って解凍サンプルを発生する解凍サブシステムを備え、この解凍サブシステムは、更に、
前記圧縮サンプルをデコードして、それに対応するサンプル座標を有する再構成された減衰サンプルを形成するためのデコーダ、
この解凍サブシステムのメモリに記憶された１つ以上のパラメータで表された利得プロフィールであって、この利得プロフィールは、サンプル座標に基づき複数の利得値を特定すると共に、前記減衰プロフィールに対応するものであり、更に、前記利得値は１以上である、利得プロフィール、及び
その再構成された減衰サンプルの大きさを前記利得プロフィールに基づいて増加して、解凍サンプルを形成する増幅器、
を含む請求項９に記載の装置。
【請求項１５】
複数のセンサが複数のセンサ測定値を発生して、サンプリングビットレートで投影データの１つ以上のセットを形成し、各セットは、投影ドメインの一部分を表し、且つ投影データのサンプルのアレイを含み、そのアレイは、少なくとも一線のサンプルを有し、更に、各サンプルは、サンプル座標で指示されたアレイ内の位置を有しているコンピュータ断層撮影システム内で投影データを圧縮する方法において、
減衰プロフィールの１つ以上のパラメータをメモリにセットする段階であって、その減衰プロフィールは、サンプル座標の関数であり且つ複数の減衰値を特定し、その減衰値は１以下であり、更に、隣接サンプル座標の減衰値の相違はユーザ特定値より小さいような段階と、
前記減衰プロフィールに基づきアレイのサンプルを減衰して、サンプルのオリジナルの大きさ以下の大きさを有する減衰サンプルを形成する段階と、
前記減衰サンプルをエンコードして圧縮サンプルを形成する段階と、
最大ビットレートが前記サンプルビットレートの半分以下の通信チャンネルを経て前記圧縮サンプルを送信する段階と、
を備えた方法。
【手続補正２】
【補正対象書類名】明細書
【補正対象項目名】００２１
【補正方法】変更
【補正の内容】
【００２１】
図１ｂの例では、空きスペースに対応する投影データは、物体を横断する線に対応する投影データより低い値を有する。あるＣＴシステムでは、空きスペースに対応するサンプルが物体に対応するサンプルより高い値を有する投影データが前処理で発生される。この説明では、サンプルのインデックスが左から右へ増加すると仮定する。しかしながら、サンプル座標を表す慣習は、本発明の範囲を限定するものではない。
【手続補正３】
【補正対象書類名】明細書
【補正対象項目名】００３５
【補正方法】変更
【補正の内容】
【００３５】
図５は、投影データの異なるセットに対応する減衰サンプルの２つのアレイＡ及びＢの一例を示す。第１の別の態様について、差の演算器は、同じ線又は行における連続サンプル間の差を計算する。例えば、アレイＡの第１行について、減衰サンプル間の計算された差は、次のものを含む。
Ｄｉｆｆ３＝ａ14−ａ13                                        (4)
Ｄｉｆｆ２＝ａ13−ａ12                                        (5)
Ｄｉｆｆ１＝ａ12−ａ11                                        (6)
【手続補正４】
【補正対象書類名】明細書
【補正対象項目名】００４２
【補正方法】変更
【補正の内容】
【００４２】
別の実施形態では、減衰プロフィール２１４は、図１ａにおいてスキャニングされる物体１１０の境界１４０ｂ及び１４０ｄに関連して定義することができる。縁検出器は、投影データ１６０のアレイの各線において遷移１５０ｂ及び１５０ｄに対応する縁サンプルを決定することができる。減衰プロフィール２１４は、遷移１５０ｂ及び１５０ｄに対応する境界内の減衰Ｘ線に対応するサンプルに適用される。空き領域１５０ａ及び１５０ｅに対応するサンプルは、エンコードされない。むしろ、境界の座標がエンコードされる。
【手続補正５】
【補正対象書類名】図面
【補正対象項目名】図７
【補正方法】変更
【補正の内容】
【図７】
2012501802.tif 000001